(57)【要約】      （修正有）【課題】均一的な収縮による圧迫と固定作用が得られ、皮膚への負担が少ないテーピングテープを提供する。【解決手段】長手方向に伸縮性を有する定形型のテープ状の基材を有し、この基材の片面に粘着剤層３を形成し、粘着剤層３を２枚の剥離紙４１、４２で覆う。基材の長手方向の中央部において２枚の剥離紙が突き合い状態または一部重なり状態になる。両端６、７から長手方向に引っ張ると、粘着剤層３を有する基材の全体が均等に引伸ばされ、剥離紙４１、４２は互いに離れて中央部の粘着剤層３が露出されるので、伸長状態で患部に貼付できるようになる。【選択図】図３
0003180221.tif 000002
【実用新案登録請求の範囲】
【請求項１】
長手方向に伸縮性を有するもので一定の長さに切断されたテープ状の基材を有し、該基材の片面に粘着剤層を形成し、該粘着剤層を２枚の剥離紙で覆い、上記基材の長手方向の中央部において上記２枚の剥離紙が突き合い状態または一部重なり状態になっている定形型テーピングテープ。
【請求項２】
上記２枚の剥離紙の突き合い状態は、上記粘着剤層を覆う１枚の剥離紙の長手方向の中央部に幅方向に延びる連続または不連続切線を設けることによって形成されている請求項１に記載の定形型テーピングテープ。
【請求項３】
上記２枚の剥離紙の一部重なり状態は、上記剥離紙を貼ったままで基材を長手方向に引張ったときに上記一部重なり状態が解けて基材中央部の粘着剤層を露出できるような重なり状態に形成されている請求項１に記載の定形型テーピングテープ。
【請求項４】
上記伸縮性を有する基材の長手方向への伸長率が６０〜１００％、幅方向への伸長率が０〜１０％であり、両方向の復元率が各々９０％以上である請求項１〜３のいずれかに記載の定形型テーピングテープ。
【請求項５】
上記粘着剤層が形成された基材が長手方向に５〜１５％伸長された状態で、その粘着剤層が剥離紙で覆われている請求項１〜４のいずれかに記載の定形型テーピングテープ。
【請求項６】
上記テーピングテープの対ベークライト粘着力が３．０〜５．０Ｎ／２５ｍｍである請求項１〜５のいずれかに記載の定形型テーピングテープ。
【請求項７】
上記テーピングテープの長手方向の長さと幅方向の長さの比率が３：１〜５：１に形成されている請求項１〜６のいずれかに記載の定形型テーピングテープ。
【考案の詳細な説明】
【技術分野】
【０００１】
本考案は、足裏や膝その他の下肢、肘、腰、その他患部に貼付して使用される定形型のテーピングテープに関するものである。
【背景技術】
【０００２】
テーピングテープは、貼付した患部に一定の圧力を加えることによって、患部に対する固定性を増すことが求められている。
従来、テーピングテープには各種のものが知られているが、通常、巻芯に巻回された状態で提供されており、これを巻き戻しながら患部に巻き付け、適当な長さで切断して使用している。（特許文献１）
【０００３】
こうした巻芯に巻回されたテーピングテープは、先ずその端末部分を患部に貼り付けて固定し、それからテーピングテープを引っ張るようにして伸長させながら貼付して行くので、患部における貼り始めの部分は一方向にのみ強く引っ張られるようになって、均一的な収縮による圧迫、固定作用が得られないという欠点が見られる。また、貼り始めの部分は、皮膚への負担が大きくなる問題が見られる。
【先行技術文献】
【特許文献】
【０００４】
【特許文献１】特開２００１−３４０３７７号公報
【考案の概要】
【考案が解決しようとする課題】
【０００５】
上述したところから、患部に貼付したテーピングテープが患部に対して貼り始めから均一的な収縮による圧迫と固定する作用が得られるようにし、適度な固定性を保ちながら、皮膚への負担も少なくすることができるようなものを提供しようとするものである。
【課題を解決するための手段】
【０００６】
本考案は、長手方向に伸縮性を有する定形型のテープ状の基材を有し、この基材の片面に粘着剤層を形成し、該粘着剤層を２枚の剥離紙で覆ったものであって、上記基材の長手方向の中央部において上記２枚の剥離紙が突き合い状態または一部重なり状態になるようにして定形型のテーピングテープとするものである。
上記２枚の剥離紙の突き合い状態は、上記粘着剤層を覆う１枚の剥離紙の長手方向の中央部に幅方向に延びる連続または不連続切線を設けることによって形成することができる。
【０００７】
また、上記伸縮性を有する基材は、長手方向への伸長率を６０〜１００％程度、幅方向への伸長率を０〜１０％程度にし、両方向の復元率を各々９０％以上にする。そして、上記粘着剤層が形成された基材は、長手方向に５〜１５％伸長された状態で、その粘着剤層を剥離紙で覆って、その状態を保つようにしている。
【考案の効果】
【０００８】
本考案によれば、上記定形型テーピングテープの剥離紙を剥がすことなく、両端部を掴んで長手方向に引っ張ると、テーピングテープの粘着剤層を有する基材の全体が均等に引伸ばされ、上記粘着剤層を覆っている２枚の剥離紙は、長手方向の中央部から互いに離れて行って中央部の粘着剤層が露出されるようになるので、この部分からそのまま患部に貼付し、更に両側の残りの部分も貼付すれば、均一的に引伸ばされたテーピングテープによって患部を覆うことができ、これが復元、収縮することによって良好な固定状態を得ることができる。
【図面の簡単な説明】
【０００９】
【図１】本考案の実施例を示す斜視図である。
【図２】図１に示すものの断面図である。
【図３】（Ａ）は、図１に示すものを剥離紙側から見た平面図である。（Ｂ）は、（Ａ）に示すものの引張り始めの状態を示す平面図である。
【図４】２枚の剥離紙の一部重なり状態を示す一部拡大断面図である。
【図５】図１に示すものの使用状態を示す説明図である。
【図６】他の使用状態を示す説明図である。
【考案を実施するための形態】
【００１０】
本考案における定形型テーピングテープ１の基材２には、織物、編物などで形成され、後記するように伸長したものが収縮する際に患部を固定することができるような適度の伸縮性を有するものである。この伸縮性は、テーピングテープの長手方向には良好な伸縮性を示し、上記長手方向と交差する幅方向には殆ど伸縮性を示さないようなものとする。
【００１１】
この基材２は、綿などの天然繊維、レーヨンなどの再生繊維、ポリアミド、ポリエステル、ポリウレタン、ポリプロピレン、ポリエチレンなどの合成繊維、その他の各種の繊維を用いて形成することができる。
そして、上記長手方向には、例えば、ナイロン、ポリエステル等の繊維に特殊加工を施すことにより伸縮性を持たせたストレッチヤーンやポリウレタン系弾性糸等のように伸縮性の大きい合繊糸などを用い、幅方向にはポリエステル繊維や綿等のように伸縮性の小さい繊維を用いるようにしたりすることができる。
【００１２】
上記基材の厚みは、特に限定されないが、その柔軟性、伸縮性その他の観点から、好ましくは１００μｍ〜１０００μｍ、より好ましくは２００μｍ〜８００μｍ、更に好ましくは３００〜７００μｍの範囲のものを使用することができる。
【００１３】
上記基材２の一面には粘着剤層３を形成しており、その粘着剤には天然ゴム系、合成ゴム系、アクリル系、ビニルエーテル系、シリコーン系、ゲル系など各種のものを使用することが可能である。この粘着剤層３を設けたテーピングテープは後述するように皮膚に貼り付けるものであるから、粘着剤として皮膚表面に対して充分な接着性と、伸縮可能な柔軟性を有していると共に、皮膚に対する刺激が少ないものが良く、こうしたことからアクリル系粘着剤、ゲル系粘着剤などを用いると好ましいことが多い。また、粘着剤層中には、必要に応じて薬物を配合することができる。例えば、メントール、カンフル、消炎鎮痛剤、ノニル酸ワニリルアミド、ビタミン等の経皮投与性薬物が挙げられ、薬効等を考慮して粘着剤に対して0.0001〜10質量％程度配合することができる。
【００１４】
上記粘着剤層の厚みは、３０〜４００μｍ程度、好ましくは５０〜２００μｍ程度にすると良い。この粘着剤層の厚みが厚すぎると、貼付した後に剥がすときに皮膚に糊残りが生じたり、薬物を含有させた場合にその放出率が悪くなる傾向となる。また、粘着剤層の厚みが薄すぎると、皮膚への接着性が低下し、剥がれの原因となる傾向になる。
【００１５】
この粘着剤層３は、基材２の片面の全面に設けるようにするが、部分的に設けることもできる。部分的に設ける場合には、粘着剤層をドット状、縞状、格子状、波型状、斜線状、あるいはその他の適宜の形状に設ければ良い。部分的に設けた場合には、粘着剤層が形成されていない基材の部分が通気路としても機能することとなり、通気性や透湿性を一層向上させることができて、発汗によるムレやかぶれ等を予防することに有効なことがある。
【００１６】
こうした一面に粘着剤層３を設けた基材２の粘着力は、粘着力が強すぎることもなく、また、弱すぎることもないものであり、対ベークライト粘着力において３．０〜５．０Ｎ／２５ｍｍ程度にすることが好ましい。
【００１７】
上記対ベークライト粘着力は、温度２３℃、５０％ＲＨの雰囲気下で、ベークライトパネルに、長さ１５０ｍｍ及び幅２５ｍｍに切り出して調製したテーピングテープの試験片を貼付し、２ｋｇのゴムロールを３００ｍｍ／分の速度で１往復させて圧着する。この状態で２０分間放置した後、剥離角度１８０度及び剥離速度３００ｍｍ／分の条件で剥離力を測定し、試験片の対ベークライト粘着力を求める。
測定は３回行い、その平均値を貼付材の対ベークライト粘着力（単位：Ｎ／２５ｍｍ）とする。
【００１８】
また、上記基材２に設けた粘着剤層３のタック性は、強すぎることもなく、また、弱すぎることもないものであり、プローブタックにおいて０．４〜２．０（Ｎ／５ｍｍφ）程度、好ましくは０．６〜１．３（Ｎ／５ｍｍφ）程度にすると良い。
【００１９】
上記プローブタックは、ニチバン株式会社製プローブタックテスタ−を使用し、ＪＩＳ  Ｚ  ０２３７に参考として記載されているプローブタック試験法に基づいて測定した（単位＝Ｎ／５ｍｍφ）。この測定は３回行い、その平均値を対プローブタック（Ｎ／５ｍｍφ）とする。
【００２０】
粘着剤層３を設けた基材２の対ガラス保持力は、同様に高すぎることもなく、また、低すぎることもないものであって、対ガラス保持力において、０．１〜０.８（mm/15×20mm・200g・15min.）程度、好ましくは０．１〜０．４（mm/15×20mm・200g・15min.）程度にすると好ましい。
【００２１】
この対ガラス保持力は、ＪＩＳ  Ｚ０２３７に定める方法に準じて測定する。すなわち、温度２３℃、５０％ＲＨの雰囲気下で、ガラス板に、長さ２０ｍｍ及び幅１５ｍｍの大きさに切り出してカートンテープで裏打ちしたテーピングテープの試験片を貼付し、２ｋｇのゴムロールを３００ｍｍ／分の速度で１往復させて圧着する。２０分間放置した後、試験片が垂直に垂れ下がるように吊し、２００ｇの荷重を加えて、１５分間経過後のズレ長さ（ｍｍ）を測定して、試験片の対ガラス保持力とする。３回測定した平均値を求めて、対ガラス保持力（単位：ｍｍ）とする。
【００２２】
上記の如く基材２の一面に粘着剤層３を形成したものは、適宜の大きさに切断されて定形型にされるが、通常、長手方向の長さと幅方向の長さを３：１〜５：１程度の比率に形成すると良い。長手方向の長さは任意であるが、約１０〜３０ｃｍ程度にすると使い易いことが多い。また、こうしたテープ状の４隅の部分は弧状にした隅丸形状にすると貼付した後で端部から剥がれ難くなる。
【００２３】
上記基材２の一面に粘着剤層３を形成したものは、上記の如く長手方向に伸縮性を有し、幅方向に伸縮し難いものとするが、そうしたものの伸長率として、長手方向に６０〜１００％程度、幅方向に０〜１０％程度にすると好ましいことが多い。
この伸長率は、ＪＩＳ  Ｌ  １０９６に基づいて、２５ｍｍ幅の粘着剤層３を有する基材２に７５０ｇの荷重を１分間掛けたときの伸び率を測定したものである。
【００２４】
そして、上記長手方向に伸長させた後での復元作用も良好に形成されており、伸長した後でその伸長作用を解除したときに元の状態に復元する復元率が９０％以上、好ましくは９５％以上になるような収縮性を有するものにするとよい。
この復元率は、上記伸長率の試験が終了した後に、上記荷重を取り除き１分後の復元した長さにより算出したものである。
【００２５】
上記基材２の一面に設けた粘着剤層３の上には、剥離紙４を貼付してこれを覆うようにする。この剥離紙としては紙に剥離剤を塗布したもの、プラスチックシートなどを使用することができるが、通常、剥離剤を塗布した紙製のものを使うと好ましい。
この剥離紙４は、場合によってはテーピングテープの大きさより大きなものを使用することもできるが、一般的に同じ大きさにした方が使い勝手がよいものとなることが多い。また、剥離紙に貼付方法の印刷を加えてもよい。
【００２６】
上記剥離紙４を基材２の一面に設けた粘着剤層３に貼付する場合、そのまま貼付してもよいが、粘着剤層３を有する基材２を長手方向に約５〜１５％程度、好ましくは８〜１２％程度、更に好ましくは１０％程度の割合で均一的に引伸ばした状態で剥離紙４を貼付すると良い。このように予め引伸ばしたものでは、使用する際に僅かに引伸ばしされた状態にあることから、後記する使用時における引伸ばし操作が一層容易に、かつ均一的に行えるようになり、患部に対する良好な固定状態を作り出すことができる。
【００２７】
上記剥離紙４は、上記粘着剤層３を覆う２枚の剥離紙４１、４２によって構成されており、上記基材の長手方向の中央部において上記２枚の剥離紙４１、４２が突き合い状態または一部重なり状態になるようにしている。
上記した２枚の剥離紙の突き合い状態は、上記粘着剤層を覆う１枚の剥離紙の長手方向の中央部に幅方向に延びる連続切線５またはミシン目その他の不連続切線を設けることによって形成することができる。不連続切線の場合には、その連結部が等間隔で存在してもよいし、等間隔でなくてもよいが、後記するようにテーピングテープを両側に引張った場合に容易に切離せるようなものにするのが好ましい。また、通常は連続切線に形成した方が好ましいことが多い。（図３（Ａ））
【００２８】
上記２枚の剥離紙の突き合い状態は、直線状のほか、Ｓ字状、波形状その他の形状の突き合わせ状態にすることができる。
また、上記突き合い状態または一部重なり状態は、基材の長手方向に直交するように幅方向に延びて形成されることが好ましいが、必ずしも直交するように設ける必要はない。
【００２９】
上記２枚の剥離紙の一部重なり状態は、下記するようにテーピングテープを長手方向に引っ張ったときに、その重なり状態が解けて基材の中央部の粘着剤層を容易に露出させることができる程度にするもので、通常、重なり部分を余り長くする（大きくする）必要はない。（図４）
【００３０】
この定形型テーピングテープ１を使用する場合、剥離紙４１、４２で覆われたままのテーピングテープの両端部６、７を両手で掴んで、そのまま長手方向に引っ張るようにすると、粘着剤層３を有する基材２の全体が均等に引伸ばされて行き、上記粘着剤層３を覆っている２枚の剥離紙４１、４２は、基材２の長手方向の中央部から突き合い状態または一部重なり状態が解けるようになって、互いに離れて行きその中央部の粘着剤層３が露出されるようになる。（図３（Ｂ））
【００３１】
上記中央部とは、テーピングテープの両端部６、７を両手で掴んでそのまま長手方向に引っ張るようにすると、粘着剤層３が露出されて皮膚に貼付できる位置のことである。好ましい中央部は、テーピングテープの両端部６、７から見て中央の位置から長さ方向に５％前後の範囲の位置であり、最も好ましいのは両端部６，７から見て中央の位置である。
【００３２】
こうしたものは、例えば、図５（Ａ）に示すように、先ず、長手方向の中央部の露出されている粘着剤層３を足の土踏まず部分に貼り付けることができ、次いで伸長される基材に対して伸長されない剥離紙４は自然に粘着剤層３から剥がれるようになるので、こうした残りの部分を貼り付けて行くとテーピングテープの全体を同じように伸長した状態で貼付することができる。
更に、患部の状態に応じて、図５（Ｂ）及び図５（Ｃ）に示すように、同様にして貼り重ねるようにすれば、必要とされる均一的な収縮作用によって患部を確実に固定することができる。
【００３３】
この定形型テーピングテープ１を使用する貼付部位としては、足裏や膝その他の下肢、肘、腰、その他の患部があり、特に限定されないが、１人で両手を使って貼付できることから、足裏、膝、足首、足指、かかとなどの下肢、腰に使用する場合に好ましく用いることができるが、他人に貼ってもらう場合には特に部位を選ばず何処にでも使用することができる。
【００３４】
図６に示すものは、同様にして膝の下部に貼付した状態を示すものである。
【符号の説明】
【００３５】
１  定形型テーピングテープ
２  基材
３  粘着剤層
４１、４２  剥離紙
５  連続切線
【図１】
0003180221.tif 000003
【図２】
0003180221.tif 000004
【図３】
0003180221.tif 000005
【図４】
0003180221.tif 000006
【図５】
0003180221.tif 000007
【図６】
0003180221.tif 000008